【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
少なくとも１つの方向付けられたオーディオ・サウンド（１３０）のビームを生成するスピーカ・システム（１０）のセットアップ方法あって、スピーカ・システムは、部屋の中にあり、部屋は、リスニング位置を備え、前記方法は、
信号（１３０）をスピーカ・システム（１０）から部屋の中に発するステップと、
発された信号（１３０）の少なくとも１つの反射を部屋の中の１つ以上の場所において登録するステップと、
登録され反射された信号（１５０）を評価して今後のオーディオ・ビーム用に方向づけパラメータの第１のセットを判定するステップと、
を含む前記方法。
【請求項２】
請求項１記載の方法であって、さらに
方向づけパラメータを用いてオーディオ・サウンド（１３０）のビームを所望の方向に方向づけるステップを含む前記方法。
【請求項３】
請求項１または２記載の方法であって、スピーカ・システム（１０）は、電気音響変換素子（１１）のアレイを備える前記方法。
【請求項４】
請求項３記載の方法であって、各信号（１３０）は、アレイ（１１）の中の単一の電気音響変換素子から発せられる前記方法。
【請求項５】
請求項２、３または４記載の方法であって、各信号（１３０）は、所望の方向に発せられるように、アレイ内の複数の電気音響変換素子（１１）から発せられる前記方法。
【請求項６】
請求項３記載の方法であって、異なる信号は、異なる電気音響変換素子（１１）から同時に発せられる前記方法。
【請求項７】
請求項６記載の方法であって、異なる電気音響変換素子は、変換素子（１１）のアレイのエッジ位置および／または中央に設置される前記方法。
【請求項８】
請求項１から７のいずれかに記載の方法であって、登録するステップは、少なくとも１つのマイクロフォン（１２０）を部屋の中に配置し、少なくとも１つのマイクロフォン（１２０）を用いて反射（１５０）を記録するステップを含む前記方法。
【請求項９】
請求項８記載の方法であって、既知の幾何学形状、好ましくは四面体形状に配列された複数のマイクロフォン（１２０）を含む前記方法。
【請求項１０】
請求項８または９記載の方法であって、マイクロフォン（１２０）は、物理的にスピーカ・システム（１０）の中または上に配置される前記方法。
【請求項１１】
請求項１から１０のいずれかに記載の方法であって、評価するステップは、スピーカ・システム（１０）の場所に対するリスニング位置を判定するステップを含む前記方法。
【請求項１２】
請求項１から１１のいずれかに記載の方法であって、評価するステップは、リスニング位置に向かう複数の音響経路を識別するステップを含む前記方法。
【請求項１３】
請求項１２記載の方法であって、評価するステップは、異なるオーディオ・チャネルを異なる経路に割り当てるステップをさらに含む前記方法。
【請求項１４】
請求項１から１３のいずれか記載の方法であって、評価するステップは、登録された信号における反射クラスタを識別するステップを含む前記方法。
【請求項１５】
請求項１から１４のいずれかに記載の方法であって、さらに、部屋の形状に関し予め知られているデータを用いてビーム方向を除外するステップを含む前記方法。
【請求項１６】
請求項１５記載の方法であって、予め知られたデータは、人間のオペレータによって提供され、データの入力を促すステップを含む前記方法。
【請求項１７】
請求項１５記載の方法であって、予め知られたデータは、セットアップ方法の以前の利用によって提供される前記方法。
【請求項１８】
請求項１から１７のいずれかに記載の方法であって、評価するステップは、信号の放出から室内の場所における第１の反射の受信まで経過した時間を記録するステップを含む前記方法。
【請求項１９】
請求項３に従属する請求項１０記載の方法であって、マイクロフォン（１２０）は、電気音響変換素子（１１）のアレイの面の近傍に、好ましくはアレイの中心に配置される前記方法。
【請求項２０】
請求項１から１９のいずれかに記載の方法であって、評価するステップは、部屋の周囲の音響ビームをスキャンすることによってスピーカ・システム（１０）からの表面（１６０，１７０）の距離を判定するステップを含む前記方法。
【請求項２１】
請求項１から２０のいずれかに記載の方法であって、受信した信号の最初の所定の部分だけが評価するステップにおいて評価される前記方法。
【請求項２２】
請求項１から２１のいずれかに記載の方法であって、スピーカ・システムから発された信号は、スピーカ・システムを用いて収束され、焦点は、推定した反射面の近傍にある前記方法。
【請求項２３】
請求項２２記載の方法であって、フィードバック・ループを用いてビームが移動する際、ビーム焦点は、推定反射面の位置を追跡する前記方法。
【請求項２４】
請求項１から２３のいずれかに記載の方法であって、登録された信号（１５０）の少なくとも１つは、対応する発された信号（１３０）の位相ずれバージョンに乗算されスピーカ・システムからの所定の距離にある表面によって反射された信号を識別する前記方法。
【請求項２５】
請求項１から２４のいずれかに記載の方法であって、スピーカ・システムによって発された信号の少なくとも１つは、チャープ信号を含み、チャープ信号は、その持続期間中に周波数が好ましくは減少する前記方法。
【請求項２６】
請求項２５記載の方法であって、受信機において整合フィルタを用いて反射されたチャープ信号を復号化し適切なレンジ解析を維持しながら信号対雑音比を改善する前記方法。
【請求項２７】
請求項１から２６のいずれかに記載の方法であって、評価するステップは、複数の受信された信号（１５０）の受信時間を分析することによって音響プロジェクタに対する反射面（１６０，１７０）の角度を判定し、それぞれが対応する送信された信号（１３０）の第１の反射を表わすステップを含む前記方法。
【請求項２８】
請求項１から２７のいずれかに記載の方法であって、評価するステップは、複数の受信信号の受信された信号（１５０）の相対振幅を分析することによって音響プロジェクタに対する反射面（１６０，１７０）の角度を判定し、それぞれが対応する送信された信号（１３０）の第１の反射（１５０）を表わすステップを含む前記方法。
【請求項２９】
請求項１から２８のいずれかに記載の方法であって、評価するステップは、受信した第１の反射信号の振幅の変化を分析し、第１の反射時間の変化を分析して反射面が連続しているか平坦であるか又は湾曲しているか判定するステップを含む前記方法。
【請求項３０】
請求項１から２９のいずれかに記載の方法であって、スピーカ・システム（１０）から発された信号の方向は、室内の反射面間の検出された不連続部分を追跡するように設定される前記方法。
【請求項３１】
請求項３０記載の方法であって、スピーカ・システム（１０）によって発された信号の方向は、推定された不連続部の一方の側に変え、反射面に不連続が存在することを確認する前記方法。
【請求項３２】
請求項１から３１のいずれかに記載の方法であって、スピーカ・システムからの信号の発射に続く信号が登録されない場合、部屋の表面の特定方向に「ホール」があると評価され、その後、音響信号を「ホール」に向けて方向づけないと判定される前記方法。
【請求項３３】
請求項１から３２のいずれかに記載の方法であって、スピーカ・システム（１０）は、サラウンド・サウンド・チャネル再生用のサラウンド・サウンド・システムである前記方法。
【請求項３４】
請求項６記載の方法であって、信号は、空間的に制約された音響ビームとして方向領域に発され、空間的に制約された音響ビームは、横方向に制約されて細い垂直ビームを形成する前記方法。
【請求項３５】
請求項３４記載の方法であって、空間的に制約された音響ビームは、横方向および縦方向に制約され、細い点または長円形ビームを形成する前記方法。
【請求項３６】
請求項１から３５記載の方法であって、発された信号（１３０）は、パラメータの第１のセットを決定するように登録および評価される前記方法。
【請求項３７】
少なくとも半自動式セットアップ機能を有するサラウンド・サウンド・システム（１０）であって、前記システムは、セットアップされた音響信号（１３０）の指向性ビームを発する手段（１１）を含み、
発された信号の反射（１５０）の少なくとも１つをリスニング・ルーム内の１つまたはそれ以上の場所で登録する手段（１２０）と、
登録された信号（１５０）を評価（１０２０）してサラウンド・サウンド・システム（１０）を構成する際に有用なデータを取得する手段と、
を特徴とする前記システム。
【請求項３８】
請求項３７記載のシステムであって、信号を評価する手段は、送信された信号（１３０）の第１の反射時間および／または対応する送信された信号（１３０）に対する反射された信号（１５０）の振幅を出力する信号プロセッサ（１０２０）を備える前記システム。
【請求項３９】
請求項３７または３８記載のシステムであって、前記システムは、主要反射面（１６０，１７０）が位置する部屋の中の主要反射面の位置を初めに判定し、次にサラウンド・サウンド・チャネルが発される方向を判定するように構成された前記システム。
【請求項４０】
請求項３７から３９のいずれかに記載のシステムであって、前記システムは、指向性音響ビームを出力する電気音響出力変換素子（１１）のアレイを備える前記システム。
【請求項４１】
請求項３７から４０のいずれかに記載のシステムであって、少なくとも１つの反射を登録する手段は、少なくとも１つのマイクロフォン（１２０）を備える前記システム。
【請求項４２】
請求項４０に従属する請求項４１記載のシステムであって、少なくとも１つのマイクロフォン（１２０）は、出力変換素子（１１）のアレイ近傍のサラウンド・サウンド・システムに配置される前記システム。